(57)【要約】【課題】直接接続モードであるか否かに応じて、利用可能な機能を操作者へ提示するとともに、好適に利用を制限する仕組みを提供する。【解決手段】通信装置は、複数のサービスの中から所望のサービスをユーザが選択するためのサービス選択画面を表示し、通信装置が、外部装置と通信装置のいずれか一方がアクセスポイントになることで外部装置と通信装置との間で直接無線通信を実行する直接無線通信モードで動作しているか否かを判定し、通信装置が前記直接無線通信モードで動作していないと判定した場合に、複数のサービスの中から所望のサービスをユーザが選択できる状態で前記サービス選択画面を表示し、通信装置が直接無線通信モードで動作していると判定した場合に、複数のサービスのうち特定のサービスをユーザが選択できない状態でサービス選択画面を表示するように制御する。【選択図】  図４
2018033150.tif 000002
【特許請求の範囲】
【請求項１】
サービスを提供可能な通信装置であって、
複数のサービスの中から所望のサービスをユーザが選択するためのサービス選択画面を表示する表示手段と、
前記通信装置が、外部装置と前記通信装置のいずれか一方がアクセスポイントになることで前記外部装置と前記通信装置との間で直接無線通信を実行する直接無線通信モードで動作しているか否かを判定する判定手段と、
前記通信装置が前記直接無線通信モードで動作していないと前記判定手段によって判定された場合に、前記複数のサービスの中から所望のサービスをユーザが選択できる状態で前記サービス選択画面を表示し、前記通信装置が前記直接無線通信モードで動作していると前記判定手段によって判定された場合に、前記複数のサービスのうち特定のサービスをユーザが選択できない状態で前記サービス選択画面を表示するように前記表示手段を制御する制御手段とを備えることを特徴とする通信装置。
【請求項２】
前記特定のサービスは、前記通信装置が前記直接無線通信モードで動作している場合に前記通信装置が提供できないサービスであることを特徴とする請求項１に記載の通信装置。
【請求項３】
前記通信装置が前記直接無線通信モードで動作していると前記判定手段によって判定された場合に、前記制御手段は、前記特定のサービスをグレーアウトした状態で前記サービス選択画面を表示するように前記表示手段を制御することを特徴とする請求項１または２に記載の通信装置。
【請求項４】
前記通信装置が前記直接無線通信モードで動作していると前記判定手段によって判定された場合に、前記制御手段は、前記特定のサービスを非表示にして前記サービス選択画面を表示するように前記表示手段を制御することを特徴とする請求項１乃至３のいずれか１項に記載の通信装置。
【請求項５】
前記通信装置は、前記直接無線通信モードで動作する場合に、前記外部装置との間でＷｉ−Ｆｉ  Ｄｉｒｅｃｔに基づく無線通信を実行することを特徴とする請求項１乃至４のいずれか１項に記載の通信装置。
【請求項６】
原稿を読み取り画像データを生成する読取手段を更に備え、
前記特定のサービスは、前記読取手段によって生成された画像データを送信するサービスであることを特徴とする請求項１乃至５のいずれか１項に記載の通信装置。
【請求項７】
前記特定のサービスは、前記通信装置に設定されている設定情報をネットワーク上の記憶装置にバックアップするサービスであることを特徴とする請求項１乃至６のいずれか１項に記載の通信装置。
【請求項８】
サービスを提供可能な通信装置の制御方法であって、
複数のサービスの中から所望のサービスをユーザが選択するためのサービス選択画面を表示する表示工程と、
前記通信装置が、外部装置と前記通信装置のいずれか一方がアクセスポイントになることで前記外部装置と前記通信装置との間で直接無線通信を実行する直接無線通信モードで動作しているか否かを判定する判定工程と、
前記通信装置が前記直接無線通信モードで動作していないと前記判定工程で判定された場合に、前記複数のサービスの中から所望のサービスをユーザが選択できる状態で前記サービス選択画面を表示し、前記通信装置が前記直接無線通信モードで動作していると前記判定工程で判定された場合に、前記複数のサービスのうち特定のサービスをユーザが選択できない状態で前記サービス選択画面を表示するよう制御する制御工程とを備えることを特徴とする通信装置の制御方法。
【請求項９】
請求項８に記載の通信装置の制御方法を、コンピュータに実行させるためのプログラム。
【発明の詳細な説明】
【技術分野】
【０００１】
本発明は、通信装置、その制御方法、及びプログラムに関するものである。
【背景技術】
【０００２】
Ｗｉ−Ｆｉ ＡｌｌｉａｎｃｅによりＷｉ−Ｆｉ Ｄｉｒｅｃｔ（登録商標）という規格が制定されている。Ｗｉ−Ｆｉ Ｄｉｒｅｃｔでは、印刷装置（通信装置）やＰＣ等の通信装置がアクセスポイント又はクライアントのいずれで動作するかを決定するためのプロトコルが規定されている。このプロトコルを実行することにより、アクセスポイントになる通信装置、クライアントになる通信装置を自動的に決定できる。このＷｉ−Ｆｉ Ｄｉｒｅｃｔを利用することで、アクセスポイントを別途用意する必要がなくなり、通信装置同士が直接無線通信を実行することができる。
【０００３】
このような印刷装置では、Ｗｉ−Ｆｉ Ｄｉｒｅｃｔを用いた直接無線通信を行うか、第三者となるアクセスポイントを介して間接的に無線通信を行うかを、操作パネルなどからユーザが指示・切り替え可能となっている。特許文献１には、Ｗｉ−Ｆｉ Ｄｉｒｅｃｔとその他の無線接続方式を切り替えて複数のサービスを提供することが記載されている。
【先行技術文献】
【特許文献】
【０００４】
【特許文献１】特開２０１２−１９９８８４号公報
【発明の概要】
【発明が解決しようとする課題】
【０００５】
しかしながら、上記従来技術には以下に記載する問題がある。印刷装置は、Ｗｉ−Ｆｉ  Ｄｉｒｅｃｔのような特定の外部端末と直接接続される接続方式（以下、直接接続モードと称する。）で動作している場合には、直接接続された外部端末としか通信できない。従って、直接接続モードの印刷装置では、接続されている外部端末以外に第三者のサーバを介した通信を必要とするようなサービス（例えば、Ｅメール等）を提供できない。
【０００６】
また、直接接続モードで動作する印刷装置は、セキュリティの観点から、複数のネットワークに接続されるマルチホームで動作するのではなく、直接接続モードで接続される外部端末とのみ通信できることが望ましい。例えば、社内と社外でネットワークを分けている環境では、従来であれば社内向けに実行される通信が、社内向けのネットワークインタフェースが直接接続モードで動作中のために使用できず、社外向けに実行されてしまうといった懸念がある。
【０００７】
また、印刷装置が通信モードに依存することなく全てのメニューを選択可能に表示した場合、ユーザは利用したいサービスを選択するまで、所望のサービスが利用できないことを知ることができない。従って、そのような環境下において、ユーザが実行できないメニューを選択してしまい、無駄な手順が生じる可能性がある。
【０００８】
本発明は、上述の問題に鑑みて成されたものであり、直接接続モードであるか否かに応じて、利用可能な機能を操作者へ提示するとともに、好適に利用を制限する仕組みを提供することを目的とする。
【課題を解決するための手段】
【０００９】
本発明は、サービスを提供可能な通信装置であって、複数のサービスの中から所望のサービスをユーザが選択するためのサービス選択画面を表示する表示手段と、前記通信装置が、外部装置と前記通信装置のいずれか一方がアクセスポイントになることで前記外部装置と前記通信装置との間で直接無線通信を実行する直接無線通信モードで動作しているか否かを判定する判定手段と、前記通信装置が前記直接無線通信モードで動作していないと前記判定手段によって判定された場合に、前記複数のサービスの中から所望のサービスをユーザが選択できる状態で前記サービス選択画面を表示し、前記通信装置が前記直接無線通信モードで動作していると前記判定手段によって判定された場合に、前記複数のサービスのうち特定のサービスをユーザが選択できない状態で前記サービス選択画面を表示するように前記表示手段を制御する制御手段とを備えることを特徴とする。
【発明の効果】
【００１０】
本発明は、直接接続モードであるか否かに応じて、利用可能な機能を操作者へ提示するとともに、好適に利用を制限する仕組みを提供できる。
【図面の簡単な説明】
【００１１】
【図１】Ｗｉ−Ｆｉ Ｄｉｒｅｃｔの処理シーケンスを示す図。
【図２】第１の実施形態に係る印刷装置２００のハードウェア構成を示す図。
【図３】第１の実施形態に係る印刷装置２００のソフトウェア構成を示す図。
【図４】第１の実施形態に係る印刷装置２００がメニューを表示する処理を示すフローチャート。
【図５】第１の実施形態に係る印刷装置２００が表示するメニューを示す図。
【図６】第２の実施形態に係る印刷装置２００が通信モードを変更する処理を示すフローチャート。
【発明を実施するための形態】
【００１２】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１３】
＜Ｗｉ−Ｆｉ Ｄｉｒｅｃｔ＞
まず、図１を参照して、Ｗｉ−Ｆｉ Ｄｉｒｅｃｔの処理シーケンスについて説明する。印刷装置と携帯端末は、それぞれＷｉ−Ｆｉ Ｄｉｒｅｃｔをサポートしている情報処理装置又は通信装置の一例である。
【００１４】
まず、Ｓ１０１において、印刷装置と携帯端末は、それぞれ通信相手を特定するために機器探索を行う。機器探索によって通信相手を特定すると、Ｓ１０２において、どちらがアクセスポイント（ＧｒｏｕｐＯｗｎｅｒ）になり、どちらがクライアント（Ｃｌｉｅｎｔ）になるかを決定する。このＳ１０２の処理を役割決定と称する。図１では、Ｓ１０２の役割決定の結果、印刷装置がＧｒｏｕｐＯｗｎｅｒに、携帯端末がＣｌｉｅｎｔになったこととする。
【００１５】
次に、Ｓ１０３において、Ｗｉ−Ｆｉ Ａｌｌｉａｎｃｅにより制定されたＷＰＳ（Ｗｉ−Ｆｉ Ｐｒｏｔｅｃｔｅｄ Ｓｅｔｕｐ）を用いて、ＧｒｏｕｐＯｗｎｅｒである印刷装置からＣｌｉｅｎｔである携帯端末へ接続を行うためのパラメータを提供する。これにより、印刷装置と携帯端末との間でパラメータが共有される。続いて、Ｓ１０４において、当該パラメータを用いてセキュア接続が行われる。
【００１６】
セキュア接続が完了すると、Ｓ１０５において、印刷装置と携帯端末との間でＩＰ通信を行うためのアドレッシングは行われる。この際、ＧｒｏｕｐＯｗｎｅｒである印刷装置がＤＨＣＰサーバとして動作し、Ｃｌｉｅｎｔである携帯端末に対してＩＰアドレスを付与する。
【００１７】
以上の処理を行うことで、印刷装置と携帯端末との間で無線通信が確立することができる。そしてこの無線通信を使用することで、別途アクセスポイントを用意することなく、印刷装置と携帯端末が直接通信を行うことが可能になる。
【００１８】
＜第１の実施形態＞
以下では、図面を参照して、本発明の第１の実施形態について説明する。本実施形態は、印刷装置の通信に関するセキュリティ機能の設定を優先し、セキュリティ機能に関する所定の設定がされている場合は、Ｗｉ−Ｆｉ Ｄｉｒｅｃｔの使用を禁止する。
【００１９】
＜印刷装置の構成＞
次に、図２を参照して、印刷装置２００のハードウェア構成について説明する。印刷装置２００は外部装置（例えば、携帯端末やＰＣ）と無線通信を実行可能な情報処理装置又は通信装置の一例である。本実施形態では印刷装置２００を複合機として説明するが、外部装置との通信機能を有するスキャナを備えないプリンタであってもよい。或いは、外部装置との通信機能を有し、プリンタを備えないスキャナであってもよい。つまり、本発明は、外部装置との通信機能有する通信装置に適用できる。
【００２０】
印刷装置２００は、制御部２０１、プリンタ２０７、スキャナ２０９、及び操作パネル２１１を備える。制御部２０１は、ＣＰＵ２０２、ＲＡＭ２０３、ＲＯＭ２０４、ＨＤＤ２０５、プリンタＩ／Ｆ２０６、スキャナＩ／Ｆ２０８、操作パネルＩ／Ｆ２１０、無線ＬＡＮＩ／Ｆ２１２、及び有線ＬＡＮＩ／Ｆ２１３を備える。
【００２１】
ＣＰＵ２０２を含む制御部２０１は、印刷装置２００全体の動作を制御する。ＣＰＵ２０２は、ＲＯＭ２０４に記憶された制御プログラムをＲＡＭ２０３に読み出して通信制御などの各種制御を行う。ＲＡＭ２０３は、ＣＰＵ２０２の主メモリ、ワークエリア等の一時領域として用いられる。ＨＤＤ２０５は、データや各種プログラム、或いは各種情報テーブルを記憶する。
【００２２】
プリンタＩ／Ｆ２０６は、プリンタ２０７（プリンタエンジン）と制御部２０１とを接続する。プリンタ２０７は、プリンタＩ／Ｆ２０６を介して入力された印刷データに基づいて、不図示の給紙カセットから給紙されたシートに印刷処理を実行する。スキャナＩ／Ｆ２０８は、スキャナ２０９と制御部２０１とを接続する。スキャナ２０９は、載置された原稿を読み取り、画像データを生成し、出力する。スキャナ２０９から出力された画像データは、プリンタ２０７で印刷されたり、ＨＤＤ２０５に記憶されたり、無線ＬＡＮＩ／Ｆ２１２や有線ＬＡＮＩ／Ｆ２１３を介して外部装置に送信されたりする。
【００２３】
操作パネルＩ／Ｆ２１０は、操作パネル２１１と制御部２０１とを接続する。操作パネル２１１にはタッチパネル機能を有する液晶表示部やキーボード、各種ファンクションキー等が備えられている。ユーザは操作パネル２１１に表示された画面を確認したり、またタッチパネルを用いて様々な指示を印刷装置２００に入力することができる。
【００２４】
無線ＬＡＮＩ／Ｆ２１２は、携帯端末やＰＣ等の外部装置と無線通信を実行する。この無線通信によって、印刷装置２００は外部装置から印刷データを受信し、受信した印刷データに基づいてプリンタ２０７が印刷処理を実行する。また、スキャナ２０９が生成した画像データを、無線ＬＡＮＩ／Ｆ２１２を介して外部装置に送信することもできる。有線ＬＡＮＩ／Ｆ２１３は、不図示のＬＡＮケーブルが接続され、外部装置と通信を実行することができる。
【００２５】
なお、印刷装置２００は１つのＣＰＵ２０２が１つのメモリ（ＲＡＭ２０３）を用いて後述するフローチャートに示す各処理を実行するものとするが、他の態様であっても構わない。例えば、複数のＣＰＵや複数のメモリを協働させて後述するフローチャートに示す各処理を実行するようにすることもできる。
【００２６】
次に、図３を参照して、印刷装置２００のソフトウェア構成について説明する。図３に示す各機能部は、ＣＰＵ２０２がＲＯＭ２０４やＨＤＤ２０５に記憶された制御プログラムを実行することによって実現される。印刷装置２００は、ソフトウェア構成として、操作制御部３０１、記憶部３０２、無線通信部３０３、有線通信部３０４、及びサービス部３０５を備える。
【００２７】
操作制御部３０１は、操作パネル２１１を制御する。例えば、操作パネル２１１に操作画面を表示したり、表示した操作画面を介したユーザ指示の入力を受け付けたりする。また、受け付けたユーザの指示を他の機能部に通知したり、受け付けたユーザの指示に応じて表示する操作画面を更新したりする。
【００２８】
記憶部３０２は、他の機能部からの指示により、指定されたデータをＲＡＭ２０３やＨＤＤ２０５に記憶したり、又は記憶しているデータを読み出したりする。無線通信部３０３は、無線ＬＡＮＩ／Ｆ２１２が実行する無線通信を制御する。また、有線通信部３０４は、有線ＬＡＮＩ／Ｆ２１３が実行する通信を制御する。なお、無線通信部３０３は、印刷装置２０２が動作可能な通信モード（接続モード）として、第１の通信モード（直接接続モード）と第２の通信モードを有する。第１の通信モード制御部は、第１の通信手段として機能し、直接無線通信を実行する「Ｗｉ−Ｆｉ  Ｄｉｒｅｃｔ接続」の制御を実行する。一方で、第２の通信モード制御部は、第２の通信手段として機能し、アクセスポイントへ接続する「ＡＰ（アクセスポイント）接続」の制御を実行する。
【００２９】
サービス部３０５は、携帯端末やＰＣ等の外部装置（外部端末）、印刷装置２００のユーザにサービスを提供する。本実施形態では、サービス部３０５は、ＣＯＰＹサービス（コピー機能）３０６、ＳＣＡＮサービス（スキャン機能）３０７、ＳＥＮＤサービス（送信機能）３０８、及びＢＡＣＫＵＰサービス（バックアップ機能）３０９とで構成されている。
【００３０】
ＣＯＰＹサービス３０６は、ユーザにコピーサービスを提供する。具体的には、スキャナ２０９で読み取ったデータ又はＨＤＤ２０５等のメモリに保存されたデータをプリンタ２０７に入力し、データに基づく複製の印刷処理を実行させる。ＳＣＡＮサービス３０７は、ユーザにスキャンサービスを提供する。具体的には、スキャナ２０９で読み取ったデータをＨＤＤ２０５等などのメモリ上に保存する。なお、ＣＯＰＹサービス３０６とＳＣＡＮサービス３０７は、外部装置との通信が必要ないために、印刷装置２００の通信モードに関係なく、サービスを提供できる。
【００３１】
ＳＥＮＤサービス３０８は、外部装置にデータを送信するサービスを提供する。具体的には、スキャナ２０９で読み取ったデータ又はＨＤＤ２０５等のメモリに保存されたデータを外部装置に送信する。なお、外部装置への転送方法は、ファイル転送プロトコルやＥメール添付、また他の任意の方法が使用されてもよい。ＢＡＣＫＵＰサービス３０９は、予め設定された外部装置へメモリに保存されたデータをバックアップ（格納）するサービスを提供する。具体的には、ＨＤＤ２０５等のメモリに保存された電子データや印刷装置２００の設定値などの情報を、バックアップデータとしてネットワーク経由で外部装置に保存する。また、外部装置に保存された前述のバックアップデータをネットワーク経由で読み出し、自装置に反映させる。なお、ＳＮＥＤサービス３０８とＢＡＣＫＵＰサービス３０９は、直接接続されたデバイス以外の第三者のサーバにアクセスする必要が生じるため、直接接続モードではサービスを提供できない場合がある。
【００３２】
本実施形態ではサービス部３０５が提供するサービスとしてＣＯＰＹサービス３０６とＳＣＡＮサービス３０７、ＳＥＮＤサービス３０８とＢＡＣＫＵＰサービス３０９を例にして説明したが、本発明はこれに限定されず他のサービスを提供するようにしてもよい。
【００３３】
＜処理手順＞
次に、図４を参照して、印刷装置２００がメニューを表示する処理手順について説明する。図４に示すシーケンスは、印刷装置２００が提供するサービスを選択するための選択画面を操作パネル２１１に表示する指示を受けることで開始される。以下で説明する処理は、ＣＰＵ２０２がＲＯＭ２０４やＨＤＤ２０５に記憶された制御プログラムを実行することによって実現される。
【００３４】
まず、Ｓ４０１において、ＣＰＵ２０２は、現在の通信モードが直接接続モードで動作しているか否かを判定する。この判定は、無線通信部３０３及び有線通信部３０４で実行される。
【００３５】
印刷装置２００が直接接続モードで動作している場合にはＳ４０２に進み、ＣＰＵ２０２は、直接接続モードでは操作できない機能をユーザが選択できない形式にして操作パネル２１１に表示する。つまり、印刷装置２００は、直接接続モードで提供可能なサービスのみを操作パネル２１１に表示する。その際の表示パネル２１１の例を後述する図５の５２０に示す。なお、前述のユーザが選択できない形式とは、メニューをグレーアウト表示するか若しくは非表示、又はそれ以外の方法であってもよい。更に、直接接続モードでのサービスの提供の可否は各サービスに問い合わせる形式であってもよいし、ＨＤＤ２０５等のメモリに情報を保存してあってもよい。
【００３６】
一方、Ｓ４０１で印刷装置２００が直接接続モード以外の通信モードで動作する場合にはＳ４０３に進み、ＣＰＵ２０２は、提供する全てのサービスを操作パネル２１１上に表示する。その際の表示パネル２１１の例を後述する図５の５１０に示す。
【００３７】
＜画面例＞
次に、図５を参照して、印刷装置２００が表示する画面例について説明する。選択画面５１０は、印刷装置２００が直接接続モード以外の通信モードで動作する場合に、操作パネル２１１に表示するサービスのメニューである。つまり、選択画面５１０は、複数のサービスの中から所望のサービスを選択可能に表示する。本実施形態では、上述したように、ＣＯＰＹサービス３０６、ＳＣＡＮサービス３０７、ＳＥＮＤサービス３０８、及びＢＡＣＫＵＰサービス３０９を提供する。そのため、操作パネル２１１には、ＣＯＰＹメニュー５０１、ＳＣＡＮメニュー５０２、ＳＥＮＤメニュー５０３、及びＢＡＣＫＵＰメニュー５０４を選択可能に表示する。ユーザは、ＣＯＰＹメニュー５０１を操作することでＣＯＰＹサービス３０６を利用できる。同様に、ユーザは、ＳＣＡＮメニュー５０２でＳＣＡＮサービス３０７を、ＳＥＮＤメニュー５０３でＳＥＮＤサービス３０８、ＢＡＣＫＵＰメニュー５０４でＢＡＣＫＵＰサービス３０９を利用できる。
【００３８】
選択画面５２０は、印刷装置２００が直接接続モードで動作する場合に、操作パネル２１１に表示するサービスのメニューである。つまり、選択画面５２０は、提供不可能なサービス（メニュー）であることが認識されるように表示するとともに、当該メニューを選択不可能に表示する。ＣＯＰＹメニュー５０１とＳＣＡＮメニュー５０２は、選択画面５１０と同様に、ユーザが選択可能な表示となっている。一方で、ＳＥＮＤメニュー５０３とＢＡＣＫＵＰメニュー５０４は、グレーアウトで表示されてユーザが選択不可能に表示されている。また、本実施形態では、メッセージ５０５にて直接接続モード（Ｗｉ−Ｆｉ Ｄｉｒｅｃｔ）で動作しているために一部のサービスが利用できない旨のメッセージを表示している。なお、本実施形態においてメッセージ５０５は必ずしも必要ではない。
【００３９】
以上説明したように、本実施形態によれば、直接接続モードで動作する印刷装置２００で利用できないサービスをグレーアウトで表示し、ユーザが実行及び操作前に利用できないことを知ることができる。さらに、利用できないサービスを選択不可能に表示することにより、ユーザが印刷装置２００を使用するにあたって直接接続モード中に利用できないサービスを選択するという不要な手順の発生を防止することができる。したがって、ユーザは、印刷装置の動作中の通信モードを意識することなく印刷装置がサポートするサービスを利用できる。また、上述した実施形態では、印刷装置２００及び携帯端末３００が、無線通信としてＷｉ−Ｆｉ Ｄｉｒｅｃｔを実行すると説明したが、無線通信はＷｉ−Ｆｉ Ｄｉｒｅｃｔに限らない。Ｗｉ−Ｆｉ Ｄｉｒｅｃｔのように複数の通信装置が直接通信できる無線通信であれば、本発明を適用することができる。
【００４０】
＜第２の実施形態＞
以下では、図６を参照して、第２の実施形態について説明する。上記第１の実施形態では、印刷装置２００が直接接続モードで動作する場合に、提供できないサービスのメニュー（ＳＥＮＤメニュー５０３）の表示形式を切り替える例についてと説明した。しかし、本実施形態では、全てのメニューを表示した上でＳＥＮＤメニュー５０３が選択された場合に強制的に通信モードを切り替えてサービスを提供する。したがって、本実施形態では、Ｓ４０２において、選択画面５２０に表示する提供不可能なサービス、即ち、ＳＥＮＤメニュー５０３及びＢＡＣＫＵＰメニュー５０４を、提供不可能なサービスであることが認識されるように表示するとともに選択可能に表示する。
【００４１】
図６は、印刷装置２００が通信モードを変更する処理手順を示す。図６で示す処理は、ユーザが直接接続で動作中の印刷装置２００で利用できないサービスメニュー（ＳＥＮＤメニュー５０３、ＢＡＣＫＵＰメニュー５０４）を選択することで開始される。また、以下で説明する処理は、ＣＰＵ２０２がＲＯＭ２０４やＨＤＤ２０５に記憶された制御プログラムを実行することによって実現される。
【００４２】
まず、Ｓ６０１において、ＣＰＵ２０２は、直接接続モードから前述の選択されたサービスが提供できる通信モード（第２の通信モード）に接続方式を切り替える。なお、ＣＰＵ２０２は、直接接続モードに切り替わる直前の通信モード又は予め設定された従来使用する通信モードをＨＤＤ２０５等のメモリ上に記憶しておき、Ｓ６０１で切り替える先の新しい通信モードには前述の記憶されている通信モードを使用する。
【００４３】
次に、Ｓ６０２において、ＣＰＵ２０２は、切り替えた通信モードで接続できたか否かの判定を実行する。その結果、接続に成功した場合にはＳ６０３において、ＣＰＵ２０２は、切り替わった通信モードの通信を用いてユーザが選択したサービスを提供する。その後、当該サービスの提供が終了すると、元の直接接続モードへ自動的に切り替えてもよい。一方で接続に失敗したと判断した場合には、ユーザが選択したサービスは実行せずに処理を終了する。
【００４４】
以上説明したように、本実施形態によれば、直接接続モードで動作する印刷装置２００で利用できないサービスをユーザが実行及び操作前に強制的に通信モードを切り替えて実行できるため、ユーザが印刷装置２００を使用するにあたって直接接続モード中に利用できないサービスを選択するという不要な手順の発生を防止することができる。さらには、本実施形態によれば、直接接続モード中においては通常利用できない機能が選択された場合には強制的に通信モードを切り替えて利用することができ、ユーザが通信モードを認識しておく必要が無く、よりユーザフレンドリな操作体系を提供することができる。
【００４５】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４６】
２００：印刷装置、２０１：制御部、２０２：ＣＰＵ、２０３：ＲＡＭ、２０４：ＲＯＭ、２０５：ＨＤＤ、２０６：プリンタＩ／Ｆ、２０７：プリンタ、２０８：スキャナＩ／Ｆ、２０９：スキャナ、２１０：操作パネルＩ／Ｆ、２１１：操作パネル、２１２：無線ＬＡＮＩ／Ｆ、２１３：有線ＬＡＮＩ／Ｆ
【図１】
2018033150.tif 000003
【図２】
2018033150.tif 000004
【図３】
2018033150.tif 000005
【図４】
2018033150.tif 000006
【図５】
2018033150.tif 000007
【図６】
2018033150.tif 000008